(57)【要約】【課題】  優れた結合操作性と握持性を有するゴルフクラブのグリップを提供する。【解決手段】  先端に開口１２が形成されると共に、後端に封止端１１が設けられるゴム製の内部中空の筒状体に形成され、該筒状体は外周面に先細となるテーパ面を有し、かつ前記開口側となる先端部１０と封止端側となる後端部２０とからなり、前記後端部２０の外周面には先細となるテーパ形状をなしたリング状凹部１３が形成されると共に、前記凹部１３外周全面には外周面に凸凹形状を有する表面２１ａのすべり止めを形成した弾性を有する外装管２１を取付けた構成とした。【選択図】  図１
0003113507.tif 000002
【実用新案登録請求の範囲】
【請求項１】
先端に開口が形成されると共に、後端に封止端が設けられるゴム製の内部中空の筒状体に形成され、該筒状体は外周面に先細となるテーパ面を有し、かつ前記開口側となる先端部と封止端側となる後端部とからなり、前記後端部の外周面には先細となるテーパ形状をなしたリング状凹部が形成されると共に、前記凹部外周全面には外周面に凸凹形状のすべり止め表面を形成した弾性を有する外装管が取付けられるようにしたことを特徴とするゴルフクラブのグリップ。
【請求項２】
、前記後端部の外周面に取付けられる前記外装管は接着剤によって固定されるようしたことを特徴とする請求項１に記載のゴルフクラブのグリップ。
【請求項３】
前記筒状体の後端部側の外装管の弾性は先端部側より柔らかく、先端部側の硬さは後端部側の外装管より硬いことを特徴とする請求項１に記載のゴルフクラブのグリップ。
【考案の詳細な説明】
【技術分野】
【０００１】
本考案は、特にゴルフクラブのグリップの改良構造に関するものである。
【背景技術】
【０００２】
図５及び図６に示すように、従来のゴルフクラブのグリップ４０は、ゴム筒体製のものが殆んどであり、筒体内側に摩擦力の大きい内面層が設けられると共に、外周側には摩擦力の小さい平滑な外面層が設けられた構成であった。
【考案の開示】
【考案が解決しようとする課題】
【０００３】
したがって、上記従来のゴルフクラブのグリップ４０は、シャフト後端部に取付けられる際、前記グリップの内面層の摩擦抵抗が大きいこともあって、シャフトとの結合においてスムーズに結合作業が出来ない。
また、前記グリップ４０の外面層が平滑な滑りやすい構造であるから、ゴルフクラブのグリップを握ってゴルフボールを打撃する際、ゴルフクラブが使用者の手から抜け易いという問題があった。
【０００４】
そこで、案出されたのが本考案であって、優れた結合操作性とクリップ性並びに滑り止めを有するゴルフクラブのグリップを提供することを目的としている。
【課題を解決するための手段】
【０００５】
本願の請求項１の考案は、先端に開口が形成されると共に、後端に封止端が設けられるゴム製の内部中空の筒状体に形成され、該筒状体は外周面に先細となるテーパ面を有し、かつ前記開口側となる先端部と封止端側となる後端部とからなり、前記後端部の外周全面には先細となるテーパ形状をなしたリング状凹部が形成されると共に、前記凹部外周面には外周面に凸凹形状のすべり止め表面を形成した弾性を有する外装管が取付けられるようにしたことを特徴とするゴルフクラブのグリップ。
【０００６】
請求項２の考案は、請求項１に記載のゴルフクラブのグリップにおいて、前記後端部の外周面に取付けられる前記外装管は接着剤によって固着されるようしたことを特徴とする。
【０００７】
請求項３の考案は、請求項１に記載のゴルフクラブのグリップにおいて、前記筒状体の後端部の外装管の弾性は先端部側より柔らかく、先端部の硬さは後端部側の外装管より硬いことを特徴とする。
【考案の効果】
【０００８】
本考案は上記の課題を解決するものであり、先端に開口が形成されると共に、後端に封止端が設けられるゴム製の内部中空の筒状体に形成され、該筒状体は外周面に先細となるテーパ面を有し、かつ前記開口側となる先端部と封止端側となる後端部とからなり、前記後端部の外周全面には先細となるテーパ形状をなしたリング状凹部が形成されると共に、前記凹部外周面には外周面に凸凹形状のすべり止め表面を形成した弾性を有する外装管が取付けられるようにした構成としたので、シャフトとの結合操作性に優れ、かつ前記後端部に取付けた弾性を有する外装管によって握り時におけるすべり止め並びにクリップ性を向上させることができる。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例】
【００１０】
図１は本考案に係るゴルフクラブのグリップの一実施例を示す斜視図であり、図２は本考案に係るゴルフクラブのグリップの断面図であり、図３は本考案に係るゴルフクラブのグリップの部分拡大断面図であり、図４は本考案に係るゴルフクラブのグリップの使用状態を示す断面図である。
【００１１】
本考案に係るゴルフクラブのグリップは、図１に示すように、材質がゴム製であって、外周面全体が先細のテーパ面を有する内部中空の筒状体に形成され、先端開口１２側となる先端部１０と、後端封止端１１側の後端部２０とからなる。
【００１２】
図２に示すように、前記先端部１０は弾性を有する硬い筒状体であり、その先端開口１２の外周には帯状の肉厚部１２ａが形成されている。また、後端部２０の封止端１１には小孔が設けられる共に、前記先端部１０の後部より連続する外周面には前記筒状体の肉厚部分を削り、かつ先細テーパ面を有するリング状凹部１３が形成され、この凹部１３には外装管２１が接着剤を介して固着されるようになっている。
【００１３】
前記凹部１３に固着される外装管２１は、図２及び図３に示すように、その外表面にすべり止め用の凹凸形状の表面２１ａが形成されている。なお、前記筒状体のグリップの前記筒状体の後端部２０の外装管２１の弾性は先端部１０より柔らかく、先端部１０の硬さは後端部２０の外装管２１より硬い。
【００１４】
図４に示すように、本考案に係るゴルフクラブのグリップをシャフト３０に取付ける場合、該シャフト３０の後端を先端部１０の開口１２から差込んで封止端１１に至るまで筒状体内部に挿入させることで、先端部１０がシャフト３０の挿入に伴い伸長されるが、後端部２０が伸長されないことにより、先端部１０をシャフト３０に緊密に結合させることができる。
【００１５】
また、前記後端部２０の外周面の凹部にすべり止め用の凹凸形状の表面２１ａの外装管２１が接着剤を介して固着されているので、使用者が後端部２０を握ってゴルフボールを打撃する際、グリップが使用者の手から抜けにくいという効果を奏する。
【産業上の利用可能性】
【００１６】
本考案は上記の構成を有するので、先端に開口が形成されると共に、後端に封止端が設けられる筒状体の先端部と、該先端部に位置決めされる後端部とを有し、該後端部にリング状凹部を形成してこの凹部に弾性を有し、かつすべり止め凹凸形状を有する外装管を固着したので、グリップの先端部と後端部側で硬度並びに弾性の異なる形状のものが提供できることで、シャフトとの結合操作性とクリップ性を向上させることができる。
【図面の簡単な説明】
【００１７】
【図１】本考案に係るゴルフクラブのグリップの一実施例の斜視図である。
【図２】本考案に係るゴルフクラブのグリップの断面図である。
【図３】本考案に係るゴルフクラブのグリップの部分拡大断面図である。
【図４】本考案に係るゴルフクラブのグリップの使用状態を示す断面図である。
【図５】従来のゴルフクラブのグリップの斜視図である。
【図６】従来のゴルフクラブのグリップの断面図である。
【符号の説明】
【００１８】
１０        先端部
１１        封止端
１２        開口
１３        リング状凹部
２０        後端部
２１        外装管
２１ａ      凹凸形状の表面
３０        シャフト
４０        グリップ
【図１】
0003113507.tif 000003
【図２】
0003113507.tif 000004
【図３】
0003113507.tif 000005
【図４】
0003113507.tif 000006
【図５】
0003113507.tif 000007
【図６】
0003113507.tif 000008